(57)【要約】      （修正有）【課題】蓋を開けるためのスプリングを抹消して部品点数を少なくでき、コストダウンが図れ、スプリングを抹消することによりラインでの工程を減らせ作業性を向上できる。【解決手段】機器本体１に設けた縦溝部１ａにＳＤカード等のメディア２が出し入れされ、機器本体の上部に蓋３が配置される開口部を設け、奥側の両側にスライド溝を形成し、スライド溝に蓋の両端部から突設した軸部が挿入され、スライド溝を蓋の両側の軸部がスライドされて蓋が奥側に向けてスライドされ、蓋が閉められる電子機器の蓋構造であり、蓋の裏面側の奥部に肉厚部３ｃが形成されると共に蓋の裏面に曲線形の凹部３ｄが形成されており、蓋が手前側にスライドされたときにメディアの飛び出しによってこのメディアの上端が蓋の肉厚部を押して蓋が開けられ、蓋が奥側にスライドされて閉められるときにメディアの上端が蓋の裏面の曲線形の凹部に滑らかに案内されるようにした。【選択図】図３
2008090589.tif 000002
【特許請求の範囲】
【請求項１】
機器本体に設けられた縦溝部にＳＤカード等のメディアが出し入れされ、前記機器本体の上部に蓋が配置される開口部が設けられると共に、奥側の両側にスライド溝が形成され、これらのスライド溝に前記蓋の両端部から突設された軸部が挿入されて、前記スライド溝を前記蓋の両側の軸部がスライドされることによって前記蓋が奥側に向けてスライドされて蓋が閉められ、前記蓋の端部の略中央に設けられたスプリング取付部にスプリングが巻回されていて、前記蓋が前方にスライドされたときに前記スプリングの付勢力で蓋が開けられるようにした電子機器の蓋構造において、前記スプリングが省かれ、前記蓋の裏面側の奥部に肉厚部が形成されると共に前記蓋の裏面に曲線形の凹部が形成されており、前記蓋が手前側にスライドされたときに前記メディアの飛び出しによってこのメディアの上端が前記蓋の肉厚部を押して前記蓋が開けられ、前記蓋が奥側にスライドされて閉められるときに前記メディアの上端が前記蓋の裏面の曲線形の凹部に滑らかに案内されるようにしたことを特徴とする電子機器の蓋構造。
【請求項２】
機器本体に設けられた縦溝部にＳＤカード等のメディアが出し入れされ、前記機器本体の上部に蓋が配置される開口部が設けられると共に、奥側の両側にスライド溝が形成され、これらのスライド溝に前記蓋の両端部から突設された軸部が挿入されて、前記スライド溝を前記蓋の両側の軸部がスライドされることによって前記蓋が奥側に向けてスライドされて蓋が閉められ、前記蓋の端部の略中央に設けられたスプリング取付部にスプリングが巻回されていて、前記蓋が前方にスライドされたときに前記スプリングの付勢力で蓋が開けられるようにした電子機器の蓋構造において、前記スプリングが省かれ、前記蓋の裏面側の奥部に肉厚部が形成されており、前記蓋が手前側にスライドされたときに前記メディアの飛び出しによってこのメディアの上端が前記蓋の肉厚部を押して前記蓋が開けられるようにしたことを特徴とする電子機器の蓋構造。
【発明の詳細な説明】
【技術分野】
【０００１】
本発明は、機器本体に設けられた縦溝部にＳＤカード等のメディアが出し入れされ、前記機器本体の上部に蓋が配置される開口部が設けられると共に、奥側の両側にスライド溝が形成され、これらのスライド溝に蓋の両端部から突設された軸部が挿入されて、スライド溝を蓋の両側の軸部がスライドされることによって蓋が奥側に向けてスライドされて蓋が閉められ、蓋の端部の略中央に設けられたスプリング取付部にスプリングが巻回されていて、蓋が前方にスライドされたときにスプリングの付勢力で蓋が開けられるようにした電子機器の蓋構造に関するものである。
【背景技術】
【０００２】
従来の電子機器の蓋構造は、図５に示すように、機器本体１０１に設けられた縦溝部１０２にＳＤカード等のメディア１０３が出し入れされ、機器本体１０１の上部に蓋１０４が配置される開口部１０５が設けられると共に、奥側の両側にスライド溝１０６が形成されている。更に、これらのスライド溝１０６に蓋１０４の両端部の軸部１０７が挿入されて、スライド溝１０６を蓋１０４の両側の軸部１０７がスライドされて蓋１０４が閉められるようになっている。また、蓋１０４の端部の略中央に設けられたスプリング取付部１０８にスプリング１０９が巻回されている。そして、蓋１０４が前方にスライドされたときに、スプリング１０９の付勢力で蓋１０４が開けられるようになっている。
【０００３】
ところが、蓋１０４を開けるためのスプリング１０９を必要とするために、部品点数が多くなるという問題があり、さらに蓋１０４を開けた後、メディア１０３を取り出すため、手でメディアを押す必要があり、閉めるときには手でメディア１０３を縦溝部１０２内に押し込み、その後に蓋１０４をスライドさせていたために、この作業が面倒で手間がかかるという問題があった。
【０００４】
第１の従来技術を図６に示す。この従来の電子機器は、図６に示すように、蓋２０３をスライドさせると、蓋２０３の後端部に配置された凸型の押し出し部２０７が、メモリカード２０４の後端と当接され、メモリカード２０４を押し出す。そして、蓋２０３の移動に伴いメモリカード２０４も同時に移動することとなり、本体ベース２０２よりメモリカード２０４が突出し、指等により取り出し可能となる。（例えば、特許文献１参照）。
【０００５】
ところが、これは、蓋２０３をスライドさせているだけであって、蓋２０３を回転して上向きに開けるものではなかった。
【０００６】
第２の従来技術を図７に示す。この従来の電子機器装置は、図７に示すように、開口部３１１、３１２を設けた筐体本体３１３に蓋体部３１４を回動自在に取り付けて構成した構造において、筐体本体３１３の開口部側に閉蓋状態にロック可能な凹状ロック部３４０とこれに隣接したロック突部３４１を配置し、蓋体部３１４にばね部と弧状突起からなる係止片３６０を配置し、蓋体部３１４が開口部を開閉する時の回動時に、弧状突起をばね部によりロック突部３４１に押圧接触させて、ロック突部を移行する前後で回動方向に相反する力が付与され、蓋体部を開、閉の二状態に保持する。蓋体部の閉状態時に機器のスイッチを動作させる。（例えば、特許文献２参照）。
【０００７】
ところが、これは、蓋体部３１４をスライドするものではなく、しかも、ＳＤカード等のメディアを蓋体部３１４で押すものでなかった。
【特許文献１】特開２００２−８３２６８号公報
【特許文献２】特開２００４−１３３９６号公報
【発明の開示】
【発明が解決しようとする課題】
【０００８】
本発明は、上記従来の問題に鑑みてなされたものであって、蓋を開けるためのスプリングを抹消して部品点数を少なくでき、コストダウンが図れ、スプリングを抹消することによりラインでの工程を減らすことができて作業性を向上させることができる電子機器の蓋構造を提供することを目的としている。
【課題を解決するための手段】
【０００９】
本発明は、上記課題を解決するために提案されたものであって、請求項１に記載の発明は、機器本体に設けられた縦溝部にＳＤカード等のメディアが出し入れされ、前記機器本体の上部に蓋が配置される開口部が設けられると共に、奥側の両側にスライド溝が形成され、これらのスライド溝に前記蓋の両端部から突設された軸部が挿入されて、前記スライド溝を前記蓋の両側の軸部がスライドされることによって前記蓋が奥側に向けてスライドされて蓋が閉められ、前記蓋の端部の略中央に設けられたスプリング取付部にスプリングが巻回されていて、前記蓋が前方にスライドされたときに前記スプリングの付勢力で蓋が開けられるようにした電子機器の蓋構造において、前記スプリングが省かれ、前記蓋の裏面側の奥部に肉厚部が形成されると共に前記蓋の裏面に曲線形の凹部が形成されており、前記蓋が手前側にスライドされたときに前記メディアの飛び出しによってこのメディアの上端が前記蓋の肉厚部を押して前記蓋が開けられ、前記蓋が奥側にスライドされて閉められるときに前記メディアの上端が前記蓋の裏面の曲線形の凹部に滑らかに案内されるようにしたことを特徴としている。
【００１０】
請求項２に記載の発明は、機器本体に設けられた縦溝部にＳＤカード等のメディアが出し入れされ、前記機器本体の上部に蓋が配置される開口部が設けられると共に、奥側の両側にスライド溝が形成され、これらのスライド溝に前記蓋の両端部から突設された軸部が挿入されて、前記スライド溝を前記蓋の両側の軸部がスライドされることによって前記蓋が奥側に向けてスライドされて蓋が閉められ、前記蓋の端部の略中央に設けられたスプリング取付部にスプリングが巻回されていて、前記蓋が前方にスライドされたときに前記スプリングの付勢力で蓋が開けられるようにした電子機器の蓋構造において、前記スプリングが省かれ、前記蓋の裏面側の奥部に肉厚部が形成されており、前記蓋が手前側にスライドされたときに前記メディアの飛び出しによってこのメディアの上端が前記蓋の肉厚部を押して前記蓋が開けられるようにしたことを特徴としている。
【発明の効果】
【００１１】
請求項１に記載の発明によれば、蓋を開けるためのスプリングを省くことができるから、部品点数を少なくでき、コストダウンが図れ、スプリングを省くことによりラインでの工程を減らすことができて作業性を向上させることができる。また、蓋を手前側に引くと蓋の肉厚部がメディアの上端に当接し、メディアの飛び出しによって蓋を容易に開くことができる。更に、蓋の裏面に曲線型の凹部が形成されているから、蓋を開け閉めするときに、この蓋の曲線形の凹部にメディアの上端が滑らかに当接しながら蓋が移動することによりメディアの上端が損傷することを防ぐことができる。
【００１２】
請求項２に記載の発明によれば、蓋を開けるためのスプリングを省くことができるから、部品点数を少なくでき、コストダウンが図れ、スプリングを省くことによりラインでの工程を減らすことができて作業性を向上させることができる。また、蓋を手前側に引くと蓋の肉厚部がメディアの上端に当接し、メディアの飛び出しによって蓋を容易に開くことができる。
【発明を実施するための最良の形態】
【００１３】
以下、本発明に係る電子機器の蓋構造の実施の形態について、図を参照しつつ説明する。
【００１４】
図１は本発明の実施形態の電子機器の蓋構造を示し、蓋が開く状態の部分斜視図、図２は図１の状態から蓋を閉めた状態の部分斜視図、図３は蓋の手前側への移動による蓋が開くときの状態を示し、（ａ）は蓋を手前側に引く前の状態の断面図、（ｂ）はメディアの上端が蓋の肉厚部に当接した状態の断面図、（ｃ）はメディアの飛び出しにより蓋が開いた上体の断面図、図４は蓋を閉める状態を示し、（ａ）は蓋を閉める前の状態の断面図、（ｂ）は蓋の肉厚部にメディアの上端が当接した状態の断面図、（ｃ）は蓋が閉められた状態の断面図である。
【００１５】
本実施形態の電子機器の蓋構造は、図１に示すように、機器本体１に設けられた縦溝部１ａにＳＤカード等のメディア２が出し入れされるようになっており、機器本体１の上部に蓋３が配置される開口部４が設けられている。更にこの開口部４の奥側の両側にスライド溝５、５が形成され、これらのスライド溝５、５に蓋３の奥側の突出部３ａ、３ａの両端部の両側から外向きに突出された軸部３ｂ、３ｂが挿入されて、スライド溝５、５を蓋３の両側の軸部３ｂ、３ｂがスライドされることによって蓋３が奥側にスライドされて、図２に示すように、蓋３が閉められるようになっている。また、図３（ａ）（ｂ）（ｃ）に示すように、蓋３の裏面側の奥部に肉厚部３ｃが形成されていると共にこの肉厚部３ｃから手前側に曲線形の凹部３ｄが形成されている。
【００１６】
図３（ａ）の状態から蓋３が手前側にスライドされると、図３（ｂ）に示すように、メディア２の上端部が蓋３の裏面側の肉厚部３ｃに当接する。ここで、機器本体１の縦溝部１ａの底部に板ばね６が配置されており、この板ばね６の上向きの付勢力でメディア２が上向きに飛び出すように付勢されている。メディア２の上端部が蓋３の裏面側の肉厚部３ｃに当接すると、図１（ｃ）に示すように、メディア２が上向きに飛び出して蓋３が開けられる。蓋３を閉めるときには、図４（ａ）に示すように、蓋３を下向きに押すと、図４（ｂ）に示すように、メディア２の上端が蓋３の裏面側の肉厚部３ｃに当接してメディア２が機器本体１の縦溝部１ａ内を下向きに移動する。この状態で蓋３を奥側にスライドさせると図４（ｃ）に示すように、メディア２の上端は蓋３の裏面側の曲線形の凹部３ｄに当接して緩やかに滑り、蓋３が閉められる。
【００１７】
従って、本実施形態によれば、蓋３を開けるために従来使用されていたスプリングを省くことができるから、部品点数を少なくでき、コストダウンが図れ、スプリングを省くことによりラインでの工程を減らすことができて作業性を向上させることができる。また、蓋３を手前側に引くと蓋３の肉厚部３ｃがメディア２の上端に当接し、板ばね６の上向きの付勢力によるメディア２の飛び出しによって蓋３を容易に開くことができる。更に、蓋３の裏面に曲線型の凹部３ｄが形成されているから、蓋３を開け閉めするときに、この蓋３の曲線形の凹部３ｄにメディア２の上端が滑らかに当接しながら蓋３が移動することによりメディア２の上端が損傷することを防ぐことができる。
【００１８】
尚、蓋３の裏面側に曲線形の凹部３ｄを設けることなく、肉厚部３ｃを設けるだけでもよいことは勿論である。また、機器本体１の縦溝部１ａの底部に板ばね６に限らず、スプリング等の他の弾性体を配置してもよいことは勿論である。
【図面の簡単な説明】
【００１９】
【図１】本発明の実施形態の電子機器の蓋構造を示し、蓋が開く状態の部分斜視図である。
【図２】図１の状態から蓋を閉めた状態の部分斜視図である。
【図３】蓋の手前側への移動による蓋が開くときの状態を示し、（ａ）は蓋を手前側に引く前の状態の断面図、（ｂ）はメディアの上端が蓋の肉厚部に当接した状態の断面図、（ｃ）はメディアの飛び出しにより蓋が開いた上体の断面図である。
【図４】蓋を閉める状態を示し、（ａ）は蓋を閉める前の状態の断面図、（ｂ）は蓋の肉厚部にメディアの上端が当接した状態の断面図、（ｃ）は蓋が閉められた状態の断面図である。
【図５】従来の電子機器の蓋構造を示し部分斜視図である。
【図６】従来の電子機器における蓋が若干開いた状態の断面図である。
【図７】従来の電子機器装置における蓋部材を開いた状態の斜視図である。
【符号の説明】
【００２０】
１      機器本体
１ａ    縦溝部
２      メディア
３      蓋
３ａ    突出部
３ｂ    軸部
３ｃ    肉厚部
３ｄ    曲線形の凹部
４      開口部
５      スライド溝
６      板ばね
【図１】
2008090589.tif 000003
【図２】
2008090589.tif 000004
【図３】
2008090589.tif 000005
【図４】
2008090589.tif 000006
【図５】
2008090589.tif 000007
【図６】
2008090589.tif 000008
【図７】
2008090589.tif 000009